(57)【要約】【課題】複数の筐体相互間の接合部を簡単な構成によって防水する。【解決手段】第１の筐体２０と、第１の筐体２０と接合される第２の筐体３０と、第１の筐体２０と第２の筐体３０との接合部に沿って設けられ、第１の筐体２０の接合部に沿った内面部２１及び第２の筐体３０の接合部に沿った内面部３１とそれぞれ所定の間隔を隔てて対向する第１の押圧面部５１及び第２の押圧面部５２を有する押圧部材５０と、第１の筐体２０の内面部２１と押圧部材５０の第１の押圧面部５１との間に、第１の筐体２０の内面部２１に対して略垂直な方向に圧縮された状態で配置される第１の弾性部材６１と、第２の筐体３０の内面部３１と押圧部材５０の第２の押圧面部５２との間に、第２の筐体３０の内面部３１に対して略垂直な方向に圧縮された状態で配置される第２の弾性部材６２とを備える構成とする。【選択図】  図２
2006138876.tif 000002
【特許請求の範囲】
【請求項１】
第１の筐体と、
前記第１の筐体と接合される第２の筐体と、
前記第１の筐体と、前記第２の筐体との接合部に沿って設けられ、前記第１の筐体の前記接合部に沿った内面部及び前記第２の筐体の前記接合部に沿った内面部とそれぞれ所定の間隔を隔てて対向する第１の押圧面部及び第２の押圧面部を有する押圧部材と、
前記第１の筐体の前記内面部と、前記押圧部材の前記第１の押圧面部との間に、前記第１の筐体の内面部に対して略垂直な方向に圧縮された状態で配置される第１の弾性部材と、
前記第２の筐体の前記内面部と、前記押圧部材の前記第２の押圧面部との間に、前記第２の筐体の内面部に対して略垂直な方向に圧縮された状態で配置される第２の弾性部材と
を備える光学機器の防水構造。
【請求項２】
請求項１に記載の光学機器の防水構造において、
前記押圧部材は、弾性材料によって形成され、前記第１の筐体と前記第２の筐体との接合部に挟まれて支持される被挟持部を備えること
を特徴とする光学機器の防水構造。
【発明の詳細な説明】
【技術分野】
【０００１】
本発明は、光学機器に係り、特にその防水構造に関するものである。
【背景技術】
【０００２】
例えば、デジタルスチルカメラ等の光学機器は、必要に応じて、外部からの水等の浸入を防止する防水処理（防滴処理とも称される。）が施される。また、このような防水処理をすることによって、防塵効果も得ることができる。
例えば、特許文献１は、防水カメラのハウジングと、その裏蓋との結合部に、ゴム製のパッキンを挿入することを記載している。
また、特許文献２は、カメラ本体の開口部と、この開口部を塞ぐ裏蓋との結合部に、薄板状のゴム製パッキンを配置するとともに、開口部の周縁に突起を形成し、この突起によってパッキンを押圧することを記載している。
【０００３】
【特許文献１】特開平７−５５５２号公報
【特許文献２】特開平９−３２５３９６号公報
【発明の開示】
【発明が解決しようとする課題】
【０００４】
光学機器の筐体は、外観や質感を向上して高級感を得るため、金属製のものが用いられる場合がある。通常このような金属製の筐体は、薄板をプレス加工等して形成した板金部品であることが多く、他の筐体が接合される端面部に、例えば上述した溝やリブ等のパッキンを保持するための構造を形成することは、樹脂モールド成型品等と比較して困難であるから、筐体自体によってパッキンを保持する構成とすることは困難である。
本発明の課題は、複数の筐体相互間の接合部を簡単な構成によって防水することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
【０００６】
請求項１の発明は、第１の筐体（２０）と、前記第１の筐体（２０）と接合される第２の筐体（３０）と、前記第１の筐体（２０）と、前記第２の筐体（３０）との接合部に沿って設けられ、前記第１の筐体（２０）の前記接合部に沿った内面部（２１）及び前記第２の筐体（３０）の前記接合部に沿った内面部（３１）とそれぞれ所定の間隔を隔てて対向する第１の押圧面部（５１）及び第２の押圧面部（５２）を有する押圧部材（５０）と、前記第１の筐体（２０）の前記内面部（２１）と、前記押圧部材（５０）の前記第１の押圧面部（５１）との間に、前記第１の筐体（２０）の内面部（２１）に対して略垂直な方向に圧縮された状態で配置される第１の弾性部材（６１）と、前記第２の筐体（３０）の前記内面部（３１）と、前記押圧部材（５０）の前記第２の押圧面部（５２）との間に、前記第２の筐体（３０）の内面部（３１）に対して略垂直な方向に圧縮された状態で配置される第２の弾性部材（６２）とを備える光学機器の防水構造である。
【０００７】
請求項２の発明は、請求項１に記載の光学機器の防水構造において、前記押圧部材（５０）は、弾性材料によって形成され、前記第１の筐体（２０）と前記第２の筐体（３０）との接合部に挟まれて支持される被挟持部（５３）を備えることを特徴とする光学機器の防水構造である。
【発明の効果】
【０００８】
本発明によれば、第１の筐体と第２の筐体との接合部に、この接合部に沿って延在する押圧部材を設け、この押圧部材と筐体の内面部との間に弾性部材を挿入して防水するようにしたから、筐体の端面は簡単な形状とすることができる。
これによって、例えば板金加工によって形成された金属製の筐体であっても、容易に防水処理することができる。
なお、押圧部材は、最低限第１の筐体と第２の筐体との接合部にのみ設ければ足りるので、それ以外の部分では筐体内のスペースが侵食されないから、このスペースを有効に活用することができる。また、筐体内部に収容される部材の容積が同等であれば、光学機器を小型化することができる。さらに、光学機器の軽量化にも寄与することができる。
【発明を実施するための最良の形態】
【０００９】
本発明は、接合される各筐体の接合部に沿った内面部に対して、それぞれ所定の間隔を隔てて対向する押圧面部を有する押圧部材を設けて、各押圧面部とそれに対向する内面部との間に、Ｏリングを内面部に対して略垂直な方向に圧縮された状態で配置することによって上述した課題を解決する。
【実施例】
【００１０】
以下、図面等を参照して、本発明の実施例をあげて、さらに詳しく説明する。
図１は、本発明を適用したカメラの実施例１の外観斜視図である。
このカメラ１０は、その撮影用レンズ群の光軸方向に、２つ割に分割して形成された筐体２０と、筐体３０とを備えている。
筐体２０と、筐体３０とは、それぞれ一方側が開口した容器状に形成され、これらは、その開口縁部の端面どうしを、突き合わせて結合される。
【００１１】
筐体２０は、カメラ１０の外装のうち対物側の部分であって、例えば、マグネシウム合金、アルミニウム合金、チタニウム合金等の薄板材をプレス加工し、筐体３０側に開口した容器状に形成されている。また、筐体２０は、レンズ鏡筒４１と、ＡＦ測距部４２と、光学式ファインダの対物側窓４３と、発光装置の発光部４４と、レリーズスイッチ４５とを備えている。
レンズ鏡筒４１は、筐体２０の対物側に設けられた開口２０ａから突き出して配置され、その内部に撮影用光学系を収容するものである。
ＡＦ測距部４２は、レンズ鏡筒４１と隣接して対物側に対向して配置され、公知の被写体距離検出部のセンサを備えている。
光学式ファインダの対物側窓４３は、筐体２０の対物側の面に設けられている。
発光装置の発光部４４は、光学式ファインダの対物側窓４３と隣接し、その発光方向を対物側に向けて配置されている。
レリーズスイッチ４５は、通常撮影時における筐体２０の上面側に備えられている。
【００１２】
筐体３０は、カメラ１０の外装のうち撮影者側の部分であって、筐体２０と同様の材料をプレス加工して、筐体２０の開口と相互に対向した状態で接合される開口を備えた容器状に形成されている。また、筐体３０は、図示しない背面ＬＣＤ、光学ファインダの観察側窓、各種スイッチ類等を備えている。
なお、上述した筐体２０及び筐体３０に備えられた各部分は、筐体２０，３０内に収容され、固定された図示しないシャーシ部によって支持されている。
【００１３】
図２は、図１のＡ−Ａ部矢視断面図である。
カメラ１０は、筐体２０と筐体３０との接合部に、押圧部材５０と、Ｏリング６１，６２とを備えている。
押圧部材５０は、筐体２０及び筐体３０が相互に接合される開口部の縁に沿って延在する環状に形成されている。押圧部材５０は、弾性を有する樹脂材料を用いて、例えばモールド成型によって形成され、上述した図示しないシャーシ部によって支持されている。
【００１４】
押圧部材５０は、押圧面部５１，５２と、被挟持部５３と、脱落防止部５４，５５を備えている。
押圧面部５１，５２は、それぞれ筐体２０，３０の接合部に沿った内面部２１，３１に対して、所定の間隔を隔てて、略平行に対向して配置されている。なお、この間隔は、Ｏリング６１，６２の無負荷状態における直径よりも小さく設定されている。
【００１５】
被挟持部５３は、押圧面部５１，５２の間から筐体２０，３０の外面側に突き出して形成され、環状に形成された押圧部材５０の周方向に沿って延在する矩形断面の突条であって、その側面部を、筐体２０，３０のそれぞれの端面２２，３２によって挟まれ、押圧されてわずかに弾性変形した状態で保持されるものである。
被挟持部５３の突端部は、筐体２０，３０の外面側に段状に突き出しており、筐体２０，３０の接合部に沿って、カメラ１０の周回りに延在している。
【００１６】
脱落防止部５４，５５は、それぞれ押圧面部５１，５２の被挟持部５３と反対側の端部から、筐体２０，３０の内面側に突き出して形成された矩形断面の突条であって、押圧部材５０の周方向に沿って延在している。脱落防止部５４，５５の突端部は、それぞれ筐体２０，３０の内面部２１，３１に接している。
【００１７】
Ｏリング６１，６２は、それぞれ押圧面部５１と筐体２０の内面部２１との間、及び、押圧面部５２と筐体３０の内面部３１との間に配置され、押圧部材５０に沿って環状に形成されている。Ｏリング６１，６２は、例えばゴム系材料等の弾性材料によって形成され、無負荷状態では略円形の横断面形状を有するものである。
【００１８】
次に、上述した筐体２０と筐体３０とを接合する方法について説明する。
まず、予めシャーシ部に固定された押圧部材５０に、Ｏリング６１，６２を装着する。Ｏリング６１，６２は、それぞれ、被挟持部５３と脱落防止部５４との間、及び、被挟持部５３と脱落防止部５５との間に挟まれて配置される。このとき、Ｏリング６１，６２の筐体２０，３０側の部分は、押圧部材５０と結合された状態における筐体２０，３０の内面部２１，３１よりも、カメラ１０の外側に張り出した状態となっている。
【００１９】
次に、押圧部材５０を、筐体２０，３０に対して、それぞれ光軸Ｉに沿った方向から押し込む。このとき、筐体２０の内面側には、押圧部材の押圧面部５１及び脱落防止部５４がＯリング６１とともに挿入され、筐体３０の内面側には、押圧部材５２及び脱落防止部５５が、Ｏリング６２とともに挿入される。
【００２０】
このとき、Ｏリング６１，６２は、それぞれ筐体２０，３０の内面部２１，３１と、押圧面部５１，５２との間隔が、その外径よりも小さいことに起因して、筐体２０，３０の内面部２１，３１に対して略直交する方向に圧縮された状態となる。このとき、Ｏリング６１，６２は、それ自身の弾性によって、それぞれ筐体２０，３０の内面部、及び、押圧面部５１，５２に対して押圧され、各押圧部において、防水効果が発揮される。
【００２１】
以上のように、実施例によれば、筐体２０，３０の接合部に沿って押圧部材５０を設け、押圧部材５０の押圧面部５１，５２と筐体２０，３０の内面部２１，３１との間に、Ｏリング６１，６２が内面部２１，３１に対して垂直な方向に圧縮された状態で配置される構成としたから、金属製プレス部品である筐体２０，３０の端面部は簡単な形状としたまま、防水処理を行うことができる。例えば、実施例の場合には、ＪＩＳ  Ｃ０９２０に規定された防水試験において、４級に相当する性能を確保することができた。
また、環状の押圧部材５０以外の部分では、筐体２０，３０の内面部側に、防水のために部材等を設ける必要がないので、カメラ１０の内部のスペースを有効に活用することができ、製品のコンパクト化、軽量化、コスト低減に寄与することができる。
さらに、被挟持部５３が筐体２０，３０の端面２２，３２に挟持される構成としたから、この部分でも防水効果を発揮してカメラ１０の防水性能を向上することができ、また、接合部における剛性も高めることができる。
また、押圧面部５１，５２の外側に、脱落防止部５４，５５を備えているから、筐体２０，３０の着脱作業をする際に、押圧部材５０からＯリング６１，６２が脱落しにくく、作業性が向上する。
【００２２】
（変形例）
本発明は、以上説明した各実施例に限定されることなく、種々の変形や変更が可能であって、それらも本発明の均等の範囲内である。
（１）本発明の光学機器の防水方法は、例えば、レンズ一体型又は交換式のデジタルスチルカメラ、フィルムスチルカメラ、ムービーカメラ等のカメラのほか、そのレンズ鏡筒、双眼鏡、単眼鏡、望遠鏡、カメラに外付けされる発光装置や電源パック等のアクセサリ類にも適用することができる。
（２）上述した実施例は、弾性部材として、円形断面のＯリングを用いたが、これに限らず、異型断面の弾性部材を用いてもよい。また、弾性部材は、接合される筐体間の接合部に沿って環状に延在するものに限らず、部分的に備えられるものであってもよい。
（３）上述した実施例は、２つの筐体を組み合わせるものであったが、例えば３つ以上の筐体を組み合わせる場合であっても、各筐体間の接合部に本発明を適用することができる。
【図面の簡単な説明】
【００２３】
【図１】本発明を適用したカメラの実施例１の外観斜視図である。
【図２】図１のＡ−Ａ部矢視断面図である。
【符号の説明】
【００２４】
２０    筐体
２１    内面部
３０    筐体
３１    内面部
５０    押圧部材
５１，５２    押圧面部
５３    被挟持部
６１，６２    Ｏリング
【図１】
2006138876.tif 000003
【図２】
2006138876.tif 000004